(57)【要約】【課題】  宅内の美観を損ねることなく、壁や天井等に沿って容易に配線することができる光ケーブルを提供する。【解決手段】  光ファイバ心線２０あるいは光ファイバ２１が、樹脂部分３２の一方の面に粘着面３１を有する粘着性テープ３０に一体的に設けられているので、粘着性テープ３０を壁４０や天井４２に配線して接着することにより、宅内の美観を損ねることなく容易に光ファイバ心線２０等の配線を行うことができる。【選択図】  図１
2006235029.tif 000002
【特許請求の範囲】
【請求項１】
粘着面を有する粘着性テープと、この粘着性テープの粘着面側に一体的に設けられた光ファイバ心線とを有することを特徴とする光ケーブル。
【請求項２】
粘着面を有する粘着性テープと、この粘着性テープの粘着面側に一体的に設けられた光ファイバとを有することを特徴とする光ケーブル。
【請求項３】
前記粘着性テープの前記粘着面側に、前記光ファイバ心線または前記光ファイバの長手方向に沿ってスペーサが設けられていることを特徴とする請求項１または２に記載の光ケーブル。
【請求項４】
前記光ファイバ心線または前記光ファイバが、長手方向に蛇行して前記粘着性テープに取り付けられていることを特徴とする請求項１から３のいずれかに記載の光ケーブル。
【請求項５】
請求項１〜４のいずれか１項に記載の光ケーブルにおいて、前記光ファイバ心線または光ファイバは、波長１．５５μｍにおけるピーターマン−Ｉ（Peter-mann−Ｉ）の定義によるモードフィールド径が８μｍ以下であり、波長１．３μｍにおける波長分散の絶対値が１２ｐｓ／ｎｍ／ｋｍ以下であり、波長１．５５μｍにおける波長分散の絶対値が１２ｐｓ／ｎｍ／ｋｍ以下であり、ケーブルカットオフ波長が１．２６μｍ以下であり、プルーフレベルが１．５％以上の引張り強度試験を経たものであることを特徴とする光ケーブル。
【発明の詳細な説明】
【技術分野】
【０００１】
本発明は光ケーブルに係り、例えば宅内の床、壁、天井等に配線することができる光ケーブルに関するものである。
【背景技術】
【０００２】
従来より、例えばカーペットの下の床に配線する光ケーブルが知られている（例えば特許文献１参照）。
図８に示すように、このアンダーカーペットケーブル１００は、隣接配置された２組のケーブルコア１０１、１０１で構成されたコア線群１０２を所定間隔を保持して２組平行に配置し、これらの外側に扁平状のシース１０３が設けられている。シース１０３は、左右両端部に傾斜部１０４を設けて、幅方向（長手方向に直交方向）外側に向かって尖った形状をしている。
これにより、カーペットの下に配線する際に段差をなくすとともに、ケーブルコア１０１の保護を図ることができるようになっている。
【特許文献１】実開平５−４５８３５号公報
【発明の開示】
【発明が解決しようとする課題】
【０００３】
ところで、一般に宅内での光配線における光ケーブルは比較的細径であるため、側圧の負荷や引っ掛かることを懸念して、例えば前述したような構造としたり、モールや配管内に敷設される場合が多い。
しかしながら、このような場合には、宅内の美観を損ねたり、配線の際に予め配管の敷設が必要となる等の不都合があった。また、前述したアンダーカーペットケーブル等の場合でも、光ケーブルのシースなどによる厚みが必要であること、ケーブルの壁面への固定が難しいことから、外観を損なう事の少ない壁紙の背面や天井に配線するのには適していない。
【０００４】
本発明の目的は、宅内の美観を損ねることなく、壁や天井等に沿って容易に配線することができる光ケーブルを提供することにある。
【課題を解決するための手段】
【０００５】
前述した目的を達成するために、本発明にかかる光ケーブルは、粘着面を有する粘着性テープと、この粘着性テープの粘着面側に一体的に設けられた光ファイバ心線とを有することを特徴としている。
【０００６】
このように構成された光ケーブルにおいては、光ファイバ心線が粘着性テープに一体的に設けられているので、粘着性テープを壁や天井に配線して接着することにより、容易に光ファイバ心線の配線を行うことができる。
ここで、光ファイバ心線とは、光ファイバをいわゆる２次被覆したものを意味し、単心の場合やテープ心線等の多心の場合も含むものである。
【０００７】
また、本発明にかかる光ケーブルは、粘着面を有する粘着性テープと、この粘着性テープの粘着面側に一体的に設けられた光ファイバとを有することを特徴としている。
【０００８】
このように構成された光ケーブルにおいては、光ファイバが粘着性テープに一体的に設けられているので、粘着性テープを壁や天井に配線して接着することにより、容易に光ファイバの配線を行うことができる。
なお、ここで光ファイバとは、いわゆる２次被覆をしていない光ファイバを意味するものである。
【０００９】
また、本発明にかかる光ケーブルは、前記粘着性テープの前記粘着面側に、前記光ファイバ心線または前記光ファイバの長手方向に沿ってスペーサが設けられていることを特徴としている。
【００１０】
このように構成された光ケーブルにおいては、スペーサにより光ファイバ心線等が収容される空間を確保することができるので、粘着性テープを貼り付けることにより、光ファイバ心線あるいは光ファイバを保護して容易に配線することができる。
なお、ここで、スペーサとしては、スポンジのような緩衝材や光ファイバ等を内部に収容する細径パイプ等を例示することができる。
【００１１】
また、本発明にかかる光ケーブルは、前記光ファイバ心線または前記光ファイバが、長手方向に蛇行して前記粘着性テープに取り付けられていることを特徴としている。
【００１２】
このように構成された光ケーブルにおいては、光ファイバ心線あるいは光ファイバを長さに余裕を持たせて蛇行させて粘着性テープに取り付けたので、粘着性テープに張力が作用した場合には光ファイバ心線等が伸歪を受けることなく長手方向に伸びることができる。これにより、張力による伝送損失の増加を軽減することができる。
【００１３】
また、本発明にかかる光ケーブルは、前記光ファイバ心線または光ファイバは、波長１．５５μｍにおけるピーターマン−Ｉ（Peter-mann−Ｉ）の定義によるモードフィールド径が８μｍ以下であり、波長１．３μｍにおける波長分散の絶対値が１２ｐｓ／ｎｍ／ｋｍ以下であり、波長１．５５μｍにおける波長分散の絶対値が１２ｐｓ／ｎｍ／ｋｍ以下であり、ケーブルカットオフ波長が１．２６μｍ以下であり、プルーフレベルが１．５％以上の引張り強度試験を経たものであることが望ましい。
【発明の効果】
【００１４】
本発明によれば、従来のような宅内の美観を損ねたり、配線の際に予め配管の敷設が必要となるという問題を解消でき、粘着性テープを壁や天井に配線して接着することにより、容易に光ファイバ心線の配線を行うことができるという効果が得られる。
【発明を実施するための最良の形態】
【００１５】
以下、本発明に係る実施形態を図面に基づいて詳細に説明する。図１（Ａ）、（Ｂ）は本発明の光ケーブルに係る第１実施形態を示す断面図、図２（Ａ）、（Ｂ）は本発明に係る第２実施形態を示す断面図である。
【００１６】
図１（Ａ）および（Ｂ）に示すように、本発明の第１実施形態である光ケーブル１０では、粘着面３１を有する粘着性テープ３０と、この粘着性テープ３０の粘着面３１側に光ファイバ心線２０が一体的に設けられている。
また、図２（Ａ）および（Ｂ）に示すように、本発明の第２実施形態である光ケーブル１１では、粘着面３１を有する粘着性テープ３０と、この粘着性テープ３０の粘着面３１側に光ファイバ２１が一体的に設けられている。
【００１７】
ここで、光ファイバ心線２０あるいは光ファイバ２１としては、例えば屋外から引き込まれたドロップケーブル（約３ｍｍ×５ｍｍ程度の大きさ）をノッチ部分から引き裂いて取り出したものを用いることができる。なお、光ファイバ心線２０とは、光ファイバ２１を２次被覆２２で覆ったものを言い、外径０．９ｍｍの単心の場合や厚さ０．３ｍｍのテープ心線等の多心の場合も含むものである。また、光ファイバ２１とは、２次被覆２２が設けられていない外径０．２５ｍｍのものを表している。従って、光ケーブル１０の全体の厚さは、０．４ｍｍ〜１．０ｍｍ程度と薄いものになっている。
なお、光ケーブル１０、１１においては、光ファイバ心線２０と光ファイバ２１は同様に用いられているので、以下の説明においては、特に光ファイバ心線２０と光ファイバ２１とを区別する場合を除いて、「光ファイバ心線等」と表示して説明することとする。
【００１８】
図１および図２に示すように、粘着性テープ３０としては、例えばガムテープやＰＶＣテープのように、樹脂部分３２の一方の面に粘着剤を塗布して粘着面３１を形成したものが例示できる。また、光ファイバ心線２０等が粘着性テープ３０と一体的に設けられているとは、図１（Ａ）および図２（Ａ）に示すように、光ファイバ心線２０が粘着性テープ３０の粘着面３１に粘着されている場合や、図１（Ｂ）および図２（Ｂ）に示すように、粘着性テープ３０の樹脂部分３２に光ファイバ心線２０等が接して一体的に設けられている場合がある。
【００１９】
以上、前述した光ケーブル１０、１１によれば、光ファイバ心線２０あるいは光ファイバ２１が粘着性テープ３０に一体的に設けられているので、図３（Ａ）に示すように、直角に交わる壁４０、４０の隅部のように小さな曲げ半径での配線が要求される場合においても、曲げ損失が小さな特性を有する光ファイバ心線２０等（一例としてφ１５ｍｍ程度まで曲げることができる）を用いるとともに、粘着性テープ３０を配線して接着することにより、容易に光ファイバ心線２０等の配線を行うことができる。あるいは、図３（Ｂ）に示すように、天井４１と壁４０との間においても同様に容易に配線することができる。曲げ損失が小さな特性を有する光ファイバ心線等としては、波長１．５５μｍにおけるピーターマン−Ｉ（Peter-mann−Ｉ）の定義によるモードフィールド径が８μｍ以下であり、波長１．３μｍにおける波長分散の絶対値が１２ｐｓ／ｎｍ／ｋｍ以下であり、波長１．５５μｍにおける波長分散の絶対値が１２ｐｓ／ｎｍ／ｋｍ以下であり、ケーブルカットオフ波長が１．２６μｍ以下であり、プルーフレベルが１．５％以上の引張り強度試験を経たものを用いることができる。
【００２０】
また、光ファイバ心線２０や光ファイバ２１の厚さや外径が０．３ｍｍ以下と小さく、粘着性テープ３０の厚さとあわせても０．４ｍｍ〜１．０ｍｍ程度で薄いため、壁４０等に配線した後に壁紙を張ることにより美観を保護することができる。
また、図４に示すように、光ケーブル１０、１１をロール状に巻き取っておくと、保管や移動が容易になるとともに、配線の際にも取り扱い性がよくなって便利である。
なお、粘着性テープ３０の樹脂部分３２が難燃性のものを使用することにより、屋内配線に要求される難燃性を確保することができる。
【００２１】
次に、本発明の第３実施形態である光ケーブル１２について図面に基づいて説明する。なお、前述した第１および第２実施形態にかかる光ケーブル１０、１１と共通する部位には同じ符号を付して重複する説明を省略することとする。
【００２２】
図５（Ａ）および図５（Ｂ）に示すように、この光ケーブル１２では、光ファイバ心線２０等を挟むようにして粘着性テープ３０にスペーサとしてスポンジ３３あるいはパイプ３４が取り付けられている。なお、スポンジ３３あるいはパイプ３４は、粘着性テープ３０の粘着面３１に粘着したものでもよいし、樹脂部分３２に接するように一体的に設けたものであってもよい。
図５（Ａ）に示すように、粘着性テープ３０の粘着面３１に、光ファイバ心線２０等を挟んでスポンジ３３を取り付けた場合には、スポンジ３３の表面３３ａには新たな粘着面３３ｂが設けられている。
一方、図５（Ｂ）に示すように、粘着性テープ３０の粘着面３１にＳＵＳ（ステンレス）あるいはプラスチック製の外径０．９ｍｍ〜２．０ｍｍ程度のパイプ３４を取り付けて、パイプ３４の内部に光ファイバ心線２０等を通すようにしてもよい。
【００２３】
以上、前述した光ケーブル１２によれば、スペーサにより光ファイバ心線２０等の配線の空間を確保することができるので、光ファイバ心線２０等を容易に配線することができる。また、光ファイバ心線２０等に常時側圧が作用するのを防止して、伝送損失の増加を防止することができる。
【００２４】
図６には、天井４１と壁４０との境界に沿って水平方向に配線したり、あるいは、壁４０と壁４０の境界に沿って垂直に配線した場合が示されている。この場合には、特にスペーサとしてパイプ３４が設けられている光ケーブル１２を用いるのが適切であるが、前述したスペーサを設けていない光ファイバ１０、１１を用いることもできる。
【００２５】
なお、本発明の光ケーブルは、前述した各実施形態に限定されるものでなく、適宜な変形，改良等が可能である。
例えば、前述した各実施形態においては、光ファイバ心線２０等を粘着性テープ３０の長手方向に沿って直線的に設けた場合について説明したが、図７に示すように、光ファイバ心線２０等を粘着性テープ３０の幅方向に蛇行させて取り付けるようにしてもよい。この場合には、光ファイバ心線２０等に引っ張り力が作用した際に、蛇行して設けた余長部分が引っ張り力を吸収するので、光ファイバ心線２０等に引っ張り力が作用するのを防止することができる。
【００２６】
その他、前述した各実施形態において例示した材質，形状，寸法，形態，数，配置個所等は本発明を達成できるものであれば任意であり、限定されない。
【図面の簡単な説明】
【００２７】
【図１】（Ａ）および（Ｂ）は、本発明に係る光ケーブルの第１実施形態を示す断面図である。
【図２】（Ａ）および（Ｂ）は、本発明に係る光ケーブルの第２実施形態を示す断面図である。
【図３】（Ａ）は直交する壁に配線した例を示す断面図、（Ｂ）は壁と天井との間に配線した例を示す断面図である。
【図４】光ケーブルを巻き取った状態を示す斜視図である。
【図５】（Ａ）および（Ｂ）は、本発明に係る光ケーブルの第３実施形態を示す断面図である。
【図６】壁と壁との境界部分あるいは壁と天井との境界部分に光ケーブルを配線した状態を示す断面図である。
【図７】光ファイバ心線等を蛇行して粘着性テープに取り付けた状態を示す平面図である。
【図８】従来の光ケーブルの一例を示す断面図である。
【符号の説明】
【００２８】
１０、１１、１２  光ケーブル
２０  光ファイバ心線
３０  粘着性テープ
２１  光ファイバ
３１  粘着面
３３  スポンジ（スペーサ）
３４  パイプ（スペーサ）
【図１】
2006235029.tif 000003
【図２】
2006235029.tif 000004
【図３】
2006235029.tif 000005
【図４】
2006235029.tif 000006
【図５】
2006235029.tif 000007
【図６】
2006235029.tif 000008
【図７】
2006235029.tif 000009
【図８】
2006235029.tif 000010